(57)【特許請求の範囲】
【請求項１】
室内の空気を循環させるように通風作用する循環通風手段にて通風される空気を、熱媒が供給される加熱手段にて加熱する暖房機が複数設けられ、
熱源機と前記複数の暖房機の加熱手段とが、前記熱媒を循環流動させるように並列接続された暖房装置であって、
前記複数の暖房機のうちの特定の主暖房機の内部に、前記熱源機からの主往路を通して供給される熱媒を分岐させ且つその主暖房機が備える加熱手段に連通接続された分岐部、及び、その主暖房機が備える前記加熱手段に連通接続され且つ前記複数の加熱手段夫々から排出される熱媒を合流させて主復路を通して前記熱源機に戻すための合流部が設けられ、
前記主暖房機に、前記分岐部に連通接続され且つ前記主往路を前記分岐部に接続する接続部、前記合流部に連通接続され且つ前記主復路を前記合流部に接続する接続部、前記分岐部に連通接続され且つ前記複数の暖房機のうちの前記主暖房機とは別の子暖房機の加熱手段に熱媒を供給する接続用往路を前記分岐部に接続する接続部、及び、前記合流部に連通接続され且つ前記子暖房機の前記加熱手段から熱媒が排出される接続用復路を前記合流部に接続する接続部が設けられている暖房装置。
【請求項２】
前記分岐部が、一つの弁体の移動によって、前記複数の加熱手段夫々について熱媒を供給する状態と熱媒の供給を停止する状態の切り換えが可能な切り換え手段を備えて構成されている請求項１記載の暖房装置。
【請求項３】
前記主暖房機が浴室を暖房するように設けられ、その主暖房機とは別の子暖房機が浴室とは別の室を暖房するように設けられている請求項１又は２記載の暖房装置。
【請求項４】
前記主暖房機に、その主暖房機が暖房対象とする室内の空気を室外に排出する換気通風手段が設けられ、
その換気通風手段を前記主暖房機とは別の子暖房機が暖房対象とする他室にも換気作用させるように、前記換気通風手段と前記他室とが他室用換気通風路にて連通接続されている請求項１〜３のいずれか１項に記載の暖房装置。
【請求項５】
前記主暖房機の循環通風手段によって通風される空気が前記他室用換気通風路を通じて前記他室内に対して流出するのを阻止する開閉自在な流出阻止手段が設けられ、
その流出阻止手段が、前記換気通風手段の作動に伴って開き、且つ、作動の停止に伴って閉じるように構成されている請求項４記載の暖房装置。
【発明の詳細な説明】
【０００１】
【発明の属する技術分野】
本発明は、室内の空気を循環させるように通風作用する循環通風手段にて通風される空気を、熱媒が供給される加熱手段にて加熱する暖房機が複数設けられ、熱源機と前記複数の暖房機の加熱手段とが、前記熱媒を循環流動させるように並列接続された暖房装置に関する。
【０００２】
【従来の技術】
かかる暖房装置において、従来は、熱源機と複数の暖房機の加熱手段夫々とを各別の熱媒循環路にて接続することにより、熱源機と複数の暖房機の加熱手段とを熱媒を循環流動させるように並列接続していた。
例えば、図１１に示すように、暖房機Ｕを２台設ける場合は、熱源機Ｇと一方の暖房機Ｕの加熱手段Ｈと熱媒循環路５１にて接続し、熱源機Ｇと他方の暖房機Ｕの加熱手段Ｈと熱媒循環路５２にて接続していた。そして、熱媒循環路５１には熱媒の供給を断続する熱動弁５３を、熱媒循環路５２には同様の熱動弁５４を夫々介装していた。尚、図１１中のＦは、各暖房機Ｕに設けた循環通風手段である。
又、各暖房機Ｕが暖房対象とする室Ｒ１，Ｒ２夫々を換気するために、各室毎に専用の換気装置５５，５６及び排気ダクト５７，５８を設けていた。
【０００３】
【発明が解決しようとする課題】
しかしながら、従来では、熱源機と複数の暖房機の加熱手段とを並列接続するための配管経路が長くしかも複雑であるため、コストダウンを図る上で改善の余地があった。
【０００４】
本発明は、かかる実情に鑑みてなされたものであり、その目的は、熱源機と複数の暖房機の加熱手段とを並列接続するための配管経路の短縮化並びに簡素化を図ることにある。
【０００５】
【課題を解決するための手段】
請求項１に記載の特徴構成によれば、予め、分岐部及び合流部を複数の暖房機のうちの特定の主暖房機の内部に設けるとともに、それら分岐部及び合流部と主暖房機の加熱手段とを接続する。
そして、施工時には、主暖房機の内部に設けられた分岐部及び合流部に主往路及び主復路にて熱源機を接続し、並びに、それら分岐部及び合流部に主暖房機とは別の暖房機（以下、子暖房機と略称する場合がある）の加熱手段を接続する。
熱源機からの主往路を通して分岐部に供給された熱媒は、分岐部で分岐して、主暖房機の加熱手段や子暖房機の加熱手段に供給され、主暖房機の加熱手段から排出された熱媒や子暖房機の加熱手段から排出された熱媒は合流部で合流されて、主復路を通して熱源機に戻る。
つまり、熱源機と複数の暖房機の加熱手段とを並列接続するにあたっては、主暖房機の内部に設けられた分岐部及び合流部と熱源機及び子暖房機の加熱手段夫々とを管路にて接続する。
従って、従来に比べて、配管経路の短縮化並びに簡素化を図ることができるようになり、その結果、コストダウンを図ることができた。
【０００６】
又、主暖房機のみが既に設置されている場合に、その主暖房機に備えられている分岐部及び合流部に、後から子暖房機の加熱手段を管路接続して設けることにより、熱源機と主暖房機の加熱手段及び子暖房機の加熱手段とを熱媒を循環流動させるように並列接続することができる。
つまり、当初は主暖房機だけを設置しておいて、後で子暖房機を増設することが可能であり、しかも、子暖房機の増設する際の配管経路の短縮化並びに簡素化を図ることができる。
【０００７】
請求項２に記載の特徴構成によれば、切り換え手段によって、複数の加熱手段夫々について熱媒を供給する熱媒供給状態と熱媒の供給を停止する熱媒供給停止状態に切り換えることができる。つまり、複数の暖房機夫々が独立して暖房運転の断続が可能になっている。
ちなみに、複数の加熱手段夫々に対応させて熱動弁等の開閉弁を設けることにより、各開閉弁の切り換えによって、複数の加熱手段夫々について熱媒供給状態と熱媒供給停止状態の切り換えが可能なように構成することができる。
これに対して、請求項２に記載の特徴構成によれば、複数の加熱手段夫々について熱媒供給状態と熱媒供給停止状態の切り換えを行うためのアクチュエータとして、１個の切り換え手段を設けるだけでよいので、装置のコストダウンを図ることができるとともに、施工時の配管工事も簡単になるので、全体としてのコストダウン効果が一層大きくなる。
【０００８】
請求項３に記載の特徴構成によれば、主暖房機が浴室を暖房対象とするように設けられ、子暖房機が浴室とは別の室を暖房対象とするように設けられる。
つまり、通常、熱源機は屋外の浴室近傍に設置されることが多い。
そこで、分岐部及び合流部が備えられた主暖房機を浴室の暖房を対象として設けることにより、配管経路の短縮化並びに簡素化を図る上で一層効果的である。
【０００９】
請求項４に記載の特徴構成によれば、主暖房機に、その主暖房機が暖房対象とする室内の空気を換気するように換気通風手段が設けられる。
そして、その換気通風手段と子暖房機が暖房対象とする室とを、他室用換気通風路にて連通接続する。
つまり、１個の換気通風手段により、主暖房機の暖房対象室及び子暖房機の暖房対象室を同時に換気することができる。
従って、図１１に示す従来技術のように、各室毎に専用の換気装置及び排気ダクトを設ける場合に比べて、１台の換気通風手段を複数の室の換気用のために共用化することができて、装置のコストダウンを図ることができるとともに、排気ダクト等のダクト配設経路の短縮化並びに簡素化を図ることができるので、全体としてのコストダウン効果が一層大きくなる。
【００１０】
請求項５に記載の特徴構成によれば、換気通風手段の作動が停止されているときは、流出阻止手段が閉じているので、主暖房機の循環通風手段が作動された場合や、主暖房機の循環通風手段の作動が停止されている場合も、主暖房機の暖房対象室内の空気が子暖房機の暖房対象室内に流入するのを防止することができる。一方、換気通風手段の作動に伴って、流出阻止手段が開くので、主暖房機の暖房対象室と共に、子暖房機の暖房対象室も換気することができる。
従って、主暖房機の暖房対象室内の空気が子暖房機の暖房対象室内に流入するのを防止しながら、換気通風手段を共用化して、コストダウンを図ることができる。
【００１１】
【発明の実施の形態】
以下、図面に基づいて、本発明の実施の形態を説明する。
図１ないし図３に示すように、暖房装置には、室内の空気を循環させるように通風作用する循環通風手段Ｆにて通風される空気を熱媒が供給される加熱手段Ｈにて加熱する２台の暖房機Ｕを設けてある。
そして、外部熱源機Ｇ（熱源機に相当する）と複数の暖房機Ｕの加熱手段Ｈとを、熱媒を循環流動させるように並列接続してある。
２台の暖房機Ｕうちの１台は、浴室Ｒ１を暖房対象として設けられる浴室用暖房機（主暖房機に相当する）Ｕ１であり、別の１台は、浴室に隣接する脱衣室Ｒ２を暖房対象に設けられる脱衣室用暖房機（子暖房機に相当する）Ｕ２である。
そして、この暖房装置には、浴室Ｒ１内を暖房する機能、浴室Ｒ１内を乾燥する機能、浴室Ｒ１内を空気を循環通風させる機能、脱衣室Ｒ２を暖房する機能、及び、浴室Ｒ１と脱衣室Ｒ２とを同時に換気する機能を備えさせてある。
【００１２】
図１に示すように、浴室用暖房機Ｕ１は、浴室Ｒ１内に備えられたユニットバスＹの天井に形成された開口部に臨ませた状態で設置する。尚、図示は省略するが、浴室用暖房機Ｕ１は、浴室Ｒ１内の天井部において、建物のスラブ面に吊り下げ支持することによって設置する。
浴室用暖房機Ｕ１には、吸気口２と吹き出し口３とを連通する浴室用循環路Ｌ１と、浴室Ｒ１内の空気を吸気口２から吸い込み、浴室用循環路Ｌ１を通流させて、吹き出し口３から吹き出すように通風作用することによって、浴室Ｒ１内の空気を循環させる循環通風手段Ｆとしての浴室用循環ファン１と、浴室用循環路Ｌ１内に設けられて、その浴室用循環路Ｌ１を通流する空気を加熱する加熱手段Ｈとしての浴室用熱交換器４を備えてある。
【００１３】
図１に示すように、脱衣室用暖房機Ｕ２は、脱衣室Ｒ２の天井に形成された開口部に臨ませた状態で、脱衣室Ｒ２の天井裏に設置する。
脱衣室用暖房機Ｕ２には、吸気口６と吹き出し口７とを連通する脱衣室用循環路Ｌ２と、脱衣室Ｒ２内の空気を吸気口６から吸い込み、脱衣室用循環路Ｌ２を通流させて、吹き出し口７から吹き出すように通風作用することによって、脱衣室Ｒ２内の空気を循環させる循環通風手段Ｆとしての脱衣室用循環ファン５と、その脱衣室用循環路Ｌ２を通流する空気を加熱する加熱手段Ｈとしての脱衣室用熱交換器８を備えてある。尚、脱衣室用循環路Ｌ２において、脱衣室用熱交換器８は脱衣室用循環ファン５よりも空気流動方向上手側に位置するように設けてある。
【００１４】
更に、浴室用暖房機Ｕ１内に、外部熱源機Ｇから主往路９を通して供給される熱媒の一例としての温水（約８０°Ｃ）を分岐させる分岐部Ｂ、及び、浴室用熱交換器４と脱衣室用熱交換器８とから排出される温水を合流させて主復路１０を通して外部熱源機Ｇに戻す合流部Ａを設けてある。
分岐部Ｂは、一つの弁体１１ｂの移動によって、浴室用熱交換器４及び脱衣室用熱交換器８夫々について熱媒を供給する状態と熱媒の供給を停止する状態の切り換えが可能な切り換え手段としての三方弁１１を備えて構成してある。
【００１５】
又、浴室用暖房機Ｕ１に、その浴室用暖房機Ｕ１が暖房対象とする浴室Ｒ１内の空気を吸気口２や吹き出し口３から吸引して、換気ダクト１３を通して外部に排出する換気通風手段としての換気ファン１２を設けてある。更に、その換気ファン１２を脱衣室用暖房機Ｕ２が暖房対象とする脱衣室Ｒ２にも換気作用させるように、換気ファン１２と脱衣室Ｒ２とを他室用換気通風路としての脱衣室用換気通風路Ｌ３にて連通接続してある。
浴室暖房機Ｕ１の浴室用循環ファン１によって通風される空気が脱衣室用換気通風路Ｌ３を通じて脱衣室Ｒ２内に対して流出するのを阻止する開閉自在な流出阻止手段としてのシャッタ部材１４を設けてあり、シャッタ部材１４は、換気ファン１２の作動に伴って開き、且つ、作動の停止に伴って閉じるように構成してある。
【００１６】
図１ないし図３に基づいて、浴室用暖房機Ｕ１について説明を加える。
下方側が開放された筐体１５の内部に、循環路形成部材１６によって浴室用循環路Ｌ１を区画形成し、その浴室用循環路Ｌ１の内部に、浴室用循環ファン１及び浴室用熱交換器４を配置し、浴室用循環ファン１により通風される空気が浴室用熱交換器４を有効に通風するように構成してある。
循環路形成部材１６における浴室用熱交換器４よりも空気流動方向上手側の箇所には、循環する空気の一部を、換気ファン１２の吸気作用によって吸気するための開口１７を形成してある。
筐体１５には、換気用の開口１８を形成し、換気用接続口１９を備えたファンボックス２０を、換気用接続口１９が開口１８に連通する状態で、筐体１５に取り付けてある。
換気ファン１２をその吸入部が換気用接続口１９に連通する状態でファンボックス２０内に収納してある。
【００１７】
筐体１５内には、三方弁１１を、その一つの流出部を浴室用熱交換器４の温水供給部に連通接続した状態で収納し、筐体１５には、三方弁１１の流入部に連通接続した本機用温水往き接続部２１、三方弁１１のもう一方の流出部に連通接続した子機用温水往き接続部２２を取り付けてある。
更に、筐体１５には、本機用温水戻り接続部２３と子機用温水戻り接続部２４を取り付け、それら本機用温水戻り接続部２３及び子機用温水戻り接続部２４夫々と浴室用熱交換器４の温水排出部とを接続管２５にて連通接続して、合流部Ａを形成してある。
ファンボックス２０には、換気ファン１２の吸入部に連通する２個の子機用換気ダクト接続部２６，２７、及び、換気ファン１２の吐出部に連通する排気ダクト接続部２８を取り付けてある。
【００１８】
シャッタ部材１４は、ファンボックス２０内における換気ファン１２の吸入部に近い箇所に配置して、浴室Ｒ１内の湿気が脱衣室Ｒ２のみならず、脱衣室用換気通風路Ｌ３を形成する後述する接続ダクト３７にも流入しないようにしてある。更に、排気ダクト接続部２８にも、シャッタ部材２９を配置してある。
シャッタ部材１４及びシャッタ部材２９は、共に換気ファン１２が作動していない状態では、その自重によって閉じ、換気ファン１２が作動すると、その通風力によって開くように構成してある。
【００１９】
図１ないし図３に基づいて、脱衣室用暖房機Ｕ２について説明を加える。
下方側が開放された筐体３０の内部に、脱衣室用循環路Ｌ２を区画形成し、その脱衣室用循環路Ｌ２の内部に、脱衣室用循環ファン５及び脱衣室用熱交換器８を配置してある。
更に、筐体３０には、脱衣室用熱交換器８の温水供給部に連通接続した温水供給用接続部３１、及び、脱衣室用熱交換器８の温水排出部に連通接続した温水排出用接続部３２を取り付け、並びに、筐体３０における脱衣室用熱交換器８よりも空気流動方向上手側の箇所には、換気ダクト接続部３３を取り付けてある。換気ダクト接続部３３には、脱衣室用循環ファン５を作動させて脱衣室Ｒ２を暖房運転中に、脱衣室Ｒ２内の空気が後述する接続ダクト３７側に流出することを阻止し、換気ファン１２が作動すると、脱衣室Ｒ２内の空気が後述する接続ダクト３７側に流出すること許容するシャッタ部材３４を配置してある。
【００２０】
図１ないし図３に示すように、浴室用暖房機Ｕ１及び脱衣室用暖房機Ｕ２を設置するにあたっては、外部熱源機Ｇの温水流出部と浴室用暖房機Ｕ１の本機用温水往き接続部２１とを主往路９で接続し、外部熱源機Ｇの温水流入部と浴室用暖房機Ｕ１の本機用温水戻り接続部２３とを主復路１０にて接続し、浴室用暖房機Ｕ１の子機用温水往き接続部２２と脱衣室用暖房機Ｕ２の温水供給用接続部３１とを接続用往路３５にて接続し、浴室用暖房機Ｕ１の子機用温水戻り接続部２４と脱衣室用暖房機Ｕ２の温水排出用接続部３２とを接続用復路３６にて接続する。
並びに、浴室用暖房機Ｕ１の排気ダクト接続部２８に排気ダクト１３を接続し、浴室用暖房機Ｕ１の一方の子機用換気ダクト接続部２６と脱衣室用暖房機Ｕ２の換気ダクト接続部３３とを脱衣室用換気通風路Ｌ３を形成する接続ダクト３７にて接続する。
【００２１】
図１に示すように、マイクロコンピュータを利用して構成して暖房装置の各種制御を司る制御部４０と、その制御部４０との間で各種制御情報を有線あるいは無線にて通信するリモコン操作部５０とを設けてある。制御部４０は浴室用暖房機Ｕ１に取り付けてあり、リモコン操作部５０は浴室Ｒ１の入口等に設置する。
リモコン操作部５０には、図４に示すように、浴室Ｒ１内の乾燥を行う〔乾燥運転モード〕を指令する乾燥スイッチ５１、浴室用循環ファン１の通風作動だけを実行する〔涼風運転モード〕を指令する涼風スイッチ５２、浴室Ｒ１を暖房する〔浴室暖房運転モード〕を指令する浴室暖房スイッチ５３、〔換気運転モード〕を指令する換気スイッチ５４、脱衣室Ｒ２を暖房する〔脱衣室暖房運転モード〕を指令する脱衣室暖房スイッチ５５、脱衣室Ｒ２の暖房のタイマー運転を指令する入りタイマースイッチ５６、タイマー時間を設定するタイマー設定スイッチ５７を備えてある。各運転モードを指令する各スイッチの近くには、各モードに設定されていることを表示するモード表示ランプ５１ａ，５２ａ，５３ａ，５４ａ，５４ｂ，５５ａ，５５ｂを夫々備えさせてある。換気運転モードを表示するモード表示ランプ５４ａ，５４ｂは、ファン強度を強弱２種の夫々の状態を表示するように２個設け、脱衣室暖房運転モードを表示するモード表示ランプ５５ａ，５５ｂは、後述するような動作状態の差異に応じて赤色表示と緑色表示の２種を設けてある。
【００２２】
制御部４０は、リモコン操作部５０から送信される制御情報に基づいて、外部熱源機Ｇ、浴室用循環ファン１、脱衣室用循環ファン５及び換気ファン１２夫々の作動制御、並びに、三方弁１１の作動制御を実行する。
即ち、リモコン操作部５０の各モード指令スイッチ５１〜５５のいずれかがオン操作されると、その選択された運転モードで運転を開始し、その後、別の運転モードが指令されると、新たな運転モードで運転を開始する。但し、〔脱衣室暖房運転モード〕で運転が行われているときに、乾燥スイッチ５１、換気スイッチ５４の各スイッチを操作しても、これらの状態は受け付けない。又、〔乾燥〕、〔換気〕の各運転モードで運転が行われているときに、脱衣室暖房スイッチ５５が操作されても受け付けない。
つまり、〔浴室暖房運転モード〕と〔脱衣室暖房運転モード〕は、単独運転並びに同時運転が可能であり、〔涼風運転モード〕と〔脱衣室暖房運転モード〕は、単独運転並びに同時運転が可能である。
【００２３】
〔乾燥〕、〔涼風〕、〔浴室暖房〕、〔換気〕のいずれかの運転モードにて運転を行う場合に、タイマー設定スイッチ５７にて運転時間を設定することができ、その設定時間が経過すると自動的に運転が停止するようになっている。尚、設定時間が経過する前であっても、運転中のモード指令用スイッチを再度、操作すると運転が停止する。
入りタイマースイッチ５６によるタイマー運転については、タイマー設定スイッチ５７にて設定された時間が経過した後に、〔脱衣室暖房運転モード〕が自動的に開始するようになっている。
【００２４】
次に、各運転モードにおける制御作動について説明する。
〔浴室暖房運転モード〕
浴室暖房スイッチ５３が操作されると、モード表示ランプ５３ａを点灯させるとともに、タイマー表示部５８を点灯させる。このとき、使用者によってタイマー設定スイッチ５７で任意の設定時間が設定される。そして、外部熱源機Ｇの運転を開始させ、且つ、弁体１１ｂを移動させることにより三方弁１１を浴室用熱交換器４のみに温水を供給する状態に切り換えて、浴室用熱交換器４に温水を供給する。又、浴室用循環ファン１を運転開始させて、浴室Ｒ１の暖房運転を開始する。
この運転モードにおいては、図５に示すように、浴室用循環ファン１の通風作動によって、浴室Ｒ１内の空気が吸気口２を通して吸気され、浴室用循環路Ｌ１に沿って案内され、吹き出し口３から吹き出されるように循環通風されるが、浴室用循環路Ｌ１に備えられた浴室用熱交換器４によって通流する空気が加熱されることで、浴室Ｒ１内が暖房される。
その後、浴室暖房スイッチ５３が再度操作されるか又は前記設定時間が経過すると、外部熱源機Ｇ、浴室用循環ファン１の運転を停止させ、並びに、三方弁１１を浴室用熱交換器４及び脱衣室用熱交換器８のいずれにも温水を供給しない状態（以下、閉弁状態と略記する場合がある）に切り換えて暖房運転を停止させ、モード表示ランプ５３ａ及びタイマー表示部５８を消灯させる。
【００２５】
〔乾燥運転モード〕
この運転モードは浴室Ｒ１内に吊るされた洗濯物等の水分を含む被乾燥物を乾燥させる場合に用いる。
乾燥スイッチ５１が操作されると、モード表示ランプ５１ａを点灯させるとともに、タイマー表示部５８を点灯させる。このとき、タイマー設定スイッチ５７で任意の設定時間が設定される。そして、外部熱源機Ｇの運転を開始させ、且つ、三方弁１１を浴室用熱交換器４のみに温水を供給する状態に切り換えて、浴室用熱交換器４に温水を供給する。又、浴室用循環ファン１と換気ファン１２を運転開始させる。
この運転モードにおいては、図６に示すように、浴室暖房運転と同様に、浴室用循環ファン１の通風作動によって、浴室Ｒ１内の空気が浴室用循環路Ｌ１に沿って案内されながら、浴室用熱交換器４にて加熱されることで、浴室Ｒ１内が暖房される。
又、換気ファン１２の作動により、浴室用循環路Ｌ１を通流する空気の一部を開口１７から吸気するとともに、浴室Ｒ１内の空気を循環路形成部材１６の周囲から吸気して、換気ダクト１３を通して外部に排気させる、このとき、換気ファン１２の通風作動によってシャッタ部材１４，３４が開放して、脱衣室Ｒ２内の空気も合わせて吸気口６及び接続ダクト３７を通して吸気されて排気されることになり、脱衣室Ｒ２の換気も合わせて実行される。
このようにして、洗濯物等の水分を蒸発させ、蒸発した水分を含む空気は換気ファン１２にて外部に排出され、浴室Ｒ１に設置された洗濯物等が乾燥するとともに、浴室Ｒ１内の湿気が脱衣室Ｒ２側に流入しないようになっている。
その後、乾燥スイッチ５１が再度操作されるか又は前記設定時間が経過すると、外部熱源機Ｇ、浴室用循環ファン１及び換気ファン１２の運転を停止させ、並びに、三方弁１１を前記閉弁状態に切り換えて乾燥運転を停止させ、モード表示ランプ５４ａ及びタイマー表示部５８を消灯させる。
【００２６】
〔換気運転モード〕
換気スイッチ５４が操作されると、モード表示ランプ５４ａを点灯させるとともに、タイマー表示部５８を点灯させる。このとき、タイマー設定スイッチ５７で任意の設定時間が設定される。そして、換気ファン１２を運転開始させる。
この運転モードにおいては、図７に示すように、換気ファン１２の通風作動により、浴室Ｒ１内の空気が吸気口２や吹き出し口３等を通して吸気されるとともに、シャッタ部材１４，３４が開放して、脱衣室Ｒ２内の空気も合わせて吸気口６及び接続ダクト３７を通して吸気されて、換気ダクト１３を通して外部に排気され、各室が換気される。
換気ファン１２は、通風能力（回転数）が強弱２段階に切り換え自在に設けられ、初回の操作においては「強」に設定され、換気スイッチ５４が再度操作されると「弱」に設定される。
その後、換気スイッチ５４が再度操作されるか又は前記設定時間が経過すると、換気ファン１２の運転を停止させ、モード表示ランプ５４ａ及びタイマー表示部５８を消灯させる。
【００２７】
〔涼風運転モード〕
この運転モードは、例えば夏場の入浴時等に通風循環させて涼風感覚を得るために用いられる。
涼風スイッチ５２が操作されると、モード表示ランプ５２ａを点灯させるとともに、タイマー表示部５８を点灯させる。このとき、タイマー設定スイッチ５７で任意の設定時間が設定される。そして、浴室用循環ファン１を運転開始させる。
この運転モードにおいては、浴室用循環ファン１の通風作動によって、浴室Ｒ１内の空気が浴室用循環路Ｌ１を通して循環通風され、加熱されることなく吹き出し口３から吹き出される。
その後、涼風スイッチ５２が再度操作されるか又は前記設定時間が経過すると、浴室用循環ファン１の運転を停止させ、モード表示ランプ５２ａ及びタイマー表示部５８を消灯させる。
【００２８】
〔脱衣室暖房運転モード〕
脱衣室暖房スイッチ５５が操作されると、モード表示ランプ（赤色）５５ａを点灯させる。そして、外部熱源機Ｇの運転を開始させ、且つ、三方弁１１を脱衣室用熱交換器８のみに温水を供給する状態に切り換えて、脱衣室用熱交換器８に温水を供給する。又、脱衣室用循環ファン５を運転開始させて、脱衣室Ｒ２の暖房運転を開始する。
この運転モードにおいては、図８に示すように、脱衣室用循環ファン５の通風作動によって、脱衣室Ｒ２内の空気が吸気口６を通して吸気され、脱衣室用循環路Ｌ２に沿って案内され、吹き出し口７から吹き出されるように循環通風されるが、脱衣室用循環路Ｌ２に備えられた脱衣室用熱交換器８によって通流する空気が加熱されることで、脱衣室Ｒ２内が暖房される。尚、このとき、シャッタ部材１４，３４の閉じ状態が維持され、浴室Ｒ１内の湿った空気が脱衣室Ｒ２側に流入することがない。
その後、脱衣室暖房スイッチ５５が再度操作されるか、又は、予め設定された所定時間（１２時間）が経過すると、外部熱源機Ｇ、脱衣室用循環ファン５の運転を停止させ、且つ、三方弁１１を前記閉弁状態に切り換えて暖房運転を停止させ、モード表示ランプ（赤色）５５ａを消灯させる。
【００２９】
この運転モードにおいては、入タイマースイッチ５６によりタイマー運転を設定することができる。このタイマー運転は、設定時間が経過した後に運転を自動で開始させるためのものであり、次に、このタイマー運転について説明する。
入タイマースイッチ５６が操作されると、タイマー表示部５８が点滅表示する。ここで、使用者がタイマー設定スイッチ５７を操作することでタイマー作動時間（現在から運転するまでの経過時間）が設定される。
入タイマースイッチ５６が操作されてから３０秒間経過するまでに、脱衣室暖房スイッチ５５が操作されると、モード表示ランプ（緑色）５５ｂを点灯させてタイマー運転が設定されていることを表示するとともに、計時を開始させる。尚、タイマー表示部５８はその後、約２秒間経過すると消灯する。入タイマースイッチ５６が操作されてから３０秒間経過するまでに、脱衣室暖房スイッチ５５が操作されなければ、初期待機状態に戻る。
設定時間の計時が終了すると、モード表示ランプ（緑色）５５ｂが消灯し、モード表示ランプ（赤色）５５ａが点灯して、上述したような脱衣室暖房運転を開始させる。その後、運転を開始してから３時間が経過すると自動的に脱衣室暖房運転を停止させ、モード表示ランプ（赤色）５５ａを消灯させる。又、脱衣室暖房運転中に、脱衣室暖房スイッチ５５が操作されると、計時時間にかかわらず運転を停止させる。
【００３０】
上記タイマー運転が設定されているとき（緑色モード表示ランプ５５ｂが点灯している状態）においては、上記各運転モードでの運転を実行することが可能であるが、上記各運転モードのうち〔乾燥〕、〔換気〕の各モードのいずれかの運転が実行されているときに、計時が終了して、脱衣室暖房運転が開始されると、〔乾燥〕、〔換気〕の各モードにおける運転は強制的に停止されるようになっている。但し、〔涼風〕、〔浴室暖房〕の各モードでの運転はそのまま継続できる。
そして、〔乾燥〕、〔涼風〕、〔浴室暖房〕、〔換気〕のいずれかの運転が実行されているときに、入タイマースイッチ５６による脱衣室暖房のタイマー運転の設定が行えるように構成してある。
【００３１】
〔浴室暖房運転モード〕及び〔脱衣室暖房運転モード〕の同時運転
浴室暖房スイッチ５３及び脱衣室暖房スイッチ５５の夫々が操作されると、各モード表示ランプ５３ａ，５５ａを点灯させる。そして、外部熱源機Ｇの運転を開始させ、且つ、三方弁１１を浴室用熱交換器４及び脱衣室用熱交換器８の両方に温水を供給する状態に切り換えて、浴室用熱交換器４及び脱衣室用熱交換器８の両方に温水を供給する。又、浴室用循環ファン１及び脱衣室用循環ファン５を運転開始させる。従って、図１に示すように、浴室暖房運転と脱衣室暖房運転とが並行して実行されることになる。
【００３２】
〔涼風運転モード〕及び〔脱衣室暖房運転モード〕の同時運転
涼風スイッチ５２及び脱衣室暖房スイッチ５５の夫々が操作されると、各モード表示ランプ５２ａ，５５ａを点灯させる。そして、外部熱源機Ｇの運転を開始させ、且つ、三方弁１１を脱衣室用熱交換器８のみに温水を供給する状態に切り換えて、脱衣室用熱交換器８のみに温水を供給する。又、浴室用循環ファン１及び脱衣室用循環ファン５を運転開始させる。従って、図９に示すように、涼風運転と脱衣室暖房運転とが並行して実行されることになる。
【００３３】
〔別実施形態〕
次に別実施形態を説明する。
（イ）  上記の実施形態においては、子暖房機Ｕ２を１台だけ設ける場合について例示したが、子暖房機Ｕ２を２台以上設けてもよい。
従って、分岐部Ｂの分岐部の数や、合流部Ａの合流部の数は、子暖房機Ｕ２の設置台数に応じて設定すればよい。
前記切り換え手段を設ける場合は、熱媒流出状態と流出停止状態の切り換えが夫々で可能な熱媒流出部の数を、子暖房機Ｕ２の設置台数に応じて設定すればよい。
（ロ）  前記切り換え手段の具体構成としては、上記の実施形態において例示した三方弁１１に限定されるものではない。
例えば、熱動弁等の開閉弁を複数個組み合わせて構成してもよい。
【００３５】
（ニ）  上記の実施形態においては、複数の暖房機Ｕ夫々について暖房運転の断続が可能なように構成する場合について例示したが、その必要がない場合は、前記切り換え手段を省略することができる。
（ホ）  上記の実施形態においては、浴室用暖房機Ｕ１に設けた換気ファン１２によって、浴室Ｒ１と脱衣室Ｒ２を同時に換気するように構成する場合について例示したが、これに代えて、脱衣室用換気通風路Ｌ３を省略して、浴室Ｒ１のみを換気するように構成してもよい。
あるいは、脱衣室用換気通風路Ｌ３を省略して、脱衣室用暖房機Ｕ２に脱衣室Ｒ２の換気用の専用の換気ファンを設けてもよい。この場合は、浴室Ｒ１の換気運転及び脱衣室Ｒ２の換気運転夫々を各別に断続することができる。
【００３６】
（ヘ）  上記の実施形態においては、主暖房機Ｕ１を浴室Ｒ１を対象に設けるとともに、主暖房機Ｕ１に換気ファン１２を設けて、浴室Ｒ１内を乾燥する機能や換気する機能を備えさせる場合について例示した。
これに代えて、換気ファン１２を省略して、主暖房機Ｕ１を暖房機能のみ備えるように構成してもよい。
例えば、主暖房機Ｕ１を浴室Ｒ１以外の室内を乾燥する必要のない室を対象に設ける場合に、このような暖房機能のみを備えるように構成すると、コストダウンを図ることができて好ましい。
【００３７】
（ト）  上記の実施形態においては、各暖房機Ｕを各室の天井裏に設置する場合について例示したが、各暖房機Ｕの設置場所は変更可能である。例えば、各室内や各室の壁の外部に設置してもよい。又、換気を行わない場合は、壁に設置してもよい。
【００３８】
（チ）  上記の実施形態においては、子暖房機Ｕ２を脱衣室Ｒ２を対象に設ける場合について例示したが、子暖房機Ｕ２は、脱衣室Ｒ２以外に、洗面室、居間等種々の室を対象に設けることができる。
【００３９】
（リ）  図１０に示すように、子暖房機Ｕ２に分岐部Ｂと合流部Ａを設け、そのような子暖房機Ｕ２の複数を互いに、分岐部Ｂ同士を接続用往路３５にて接続し、且つ、合流部Ａ同士を接続用復路３６にて接続する状態で設けてもよい。
図１０は、子暖房機Ｕ２を２台設けた場合を示す。一方の子暖房機Ｕ２は例えば脱衣室Ｒ２を暖房対象として設け、他方の子暖房機Ｕ２は脱衣室Ｒ２以外の例えば洗面室Ｒ３を暖房対象として設けてある。
分岐部Ｂを構成する三方弁１１を、その流入部に温水供給用接続部３１を連通接続し、且つ、一方の流出部に子機用熱交換器８の温水供給部を連通接続した状態で、筐体３０内に収納するとともに、三方弁１１の他方の流出部に連通接続した温水供給用経由部４１を筐体３０に取り付けてある。更に、筐体３１に、温水排出用経由部４２を取り付け、子機用熱交換器８の温水排出部と、温水排出用接続部３２と、温水排出用経由部４２とを接続管２５にて連通接続して、合流部Ａを形成してある。
そして、子暖房機Ｕ２同士は、温水供給用経由部４１と温水供給用接続部３１とを接続用往路３５にて接続し、並びに、温水排出用経由部４２と温水排出用接続部３２とを接続用復路３６にて連通接続する。
【００４０】
更に、浴室用暖房機Ｕ１の他方の子機用換気ダクト接続部２７と、洗面室Ｒ３を暖房対象とする子暖房機Ｕ２の換気ダクト接続部３３とを他室用換気通風路Ｌ３を形成する接続ダクト３７にて接続する。従って、浴室Ｒ１、脱衣室Ｒ２及び洗面室Ｒ３を同時に換気することができる。
上述のように構成すると、子暖房機Ｕ２を更に増設することができる。
【００４１】
（ヌ）  上記の実施形態においては、脱衣室用熱交換器８を、脱衣室用循環路Ｌ２において、脱衣室用循環ファン５に対して空気流動方向上手側に位置するように設ける場合について例示したが、これに代えて、空気流動方向下手側に位置するように設けてもよい。
（ル）  〔乾燥運転モード〕は、浴室Ｒ１内の乾燥を行う場合や、浴室Ｒ１内に洗濯物等の水分を含む被乾燥物を配置して、浴室Ｒ１内及び被乾燥物の乾燥を行う場合に用いる。
【図面の簡単な説明】
【図１】暖房装置の全体構成、及び、浴室脱衣室同時暖房運転時の通風状態を示す図
【図２】浴室用暖房機及び脱衣室用暖房機の概略構成を示す図
【図３】暖房装置の温水配管経路及び排気ダクト配設経路を示す図
【図４】リモコン操作部の正面図
【図５】浴室暖房運転時の通風状態を示す図
【図６】乾燥運転時の通風状態を示す図
【図７】換気運転時の通風状態を示す図
【図８】脱衣室暖房運転時の通風状態を示す図
【図９】涼風、脱衣室暖房同時運転時の通風状態を示す図
【図１０】別実施形態における暖房装置の温水配管経路及び排気ダクト配設経路を示す図
【図１１】従来の暖房装置の温水配管経路及び排気ダクト配設経路を示す図
【符号の説明】
９    主往路
１０  主復路
１１  切り換え手段
１２  換気通風手段
１４  流出阻止手段
２１  接続部
２２  接続部
２３  接続部
２４  接続部
３５  接続用往路
３６  接続用復路
Ａ    合流部
Ｂ    分岐部
Ｆ    循環通風手段
Ｇ    熱源機
Ｈ    加熱手段
Ｌ３  他室用換気通風路
Ｕ    暖房機
Ｕ１  主暖房機
Ｕ２  子暖房機
【図１】
0003784150.tif 000002
【図２】
0003784150.tif 000003
【図３】
0003784150.tif 000004
【図４】
0003784150.tif 000005
【図５】
0003784150.tif 000006
【図６】
0003784150.tif 000007
【図７】
0003784150.tif 000008
【図８】
0003784150.tif 000009
【図９】
0003784150.tif 000010
【図１０】
0003784150.tif 000011
【図１１】
0003784150.tif 000012